(57)【特許請求の範囲】
【請求項１】
葬祭に関する情報の預託を受け付けるｗｅｂサーバである預託ｗｅｂサーバと、前記預託ｗｅｂサーバに接続されて預託情報を格納して加工する預託アプリサーバと、ネットワークとネットワークに接続されて訃報やお悔み広告を掲載するお悔みｗｅｂサーバと、ネットワークに接続されるお悔みｗｅｂサーバを制御するお悔みアプリサーバと、前記お悔みｗｅｂサーバに接続されて前記お悔みｗｅｂサーバのデータを格納するお悔みｗｅｂデータベースと、前記お悔みアプリサーバに接続されて前記お悔みアプリサーバのデータを格納するお悔みアプリデータベースとを備え、この預託ｗｅｂサーバは、ネットワークを介して預託を行うユーザが利用するための顧客パソコンとからなり、
お悔みアプリデータベースは、リンク判定プログラムと、データ転送プログラムとが格納され、
リンク判定プログラムは、登録画面データにおいて、リンク可否情報としてリンク可否ラジオボタンで「可」が選択された場合に、登録番号を預託ｗｅｂサーバへリンク請求信号を送信して、預託ｗｅｂサーバからリンクアドレスデータを受信する機能を備え、
預託ｗｅｂサーバによって預託されている対象者の生前に依頼者のメッセージと映像と画像と音声情報が預託され、
預託アプリサーバがこれらの依頼者のメッセージと映像と画像と音声情報の少なくとも一つから映像ソフト生成プログラムにより予め葬祭用映像データを編集して作成して保管し、
預託されている対象者の没後の葬祭場において葬祭用映像データ再生できるように葬祭場にある式場サーバまたは移動サーバに預託アプリサーバから葬祭用映像データを送信し、
預託されている対象者の方が逝去され、遺族により式典情報は顧客パソコンからお悔みｗｅｂサーバへ送信され、式典情報は顧客パソコンからお悔みｗｅｂサーバへ送信され、お悔みｗｅｂサーバからお悔み葬儀情報の要求信号があるたびに、
データ転送プログラムが起動し、リンク可否情報がリンク可であれば、リンクデータ要求信号を預託アプリサーバへ請求信号を送信することで、
リンクアドレスを伴った預託されている対象者の生前預託したお悔み葬儀情報の掲載されたｗｅｂページデータを生成される葬祭メディア提供システム。
【請求項２】
さらに、及び預託アプリサーバが加工した預託情報を葬祭場で再生するためのサーバである式場サーバを備える請求項１記載の葬祭メディア提供システム。
【請求項３】
通夜または告別式の開催情報が掲載されたｗｅｂページに前記預託ｗｅｂサーバによって依頼者のメッセージと映像と画像と音声情報へのリンク情報が同時に掲載される請求項１に記載の葬祭メディア提供システム。
【請求項４】
通夜または告別式の開催情報をｗｅｂページに掲載するのは、遺族又は葬儀社又はマスメディアのいずれかが情報を提供することを特徴とする請求項１に記載の葬祭メディア提供システム。
【請求項５】
葬祭に関する情報の預託を受け付けるｗｅｂサーバである預託ｗｅｂサーバと、
前記預託ｗｅｂサーバに接続されて預託情報を格納して加工する預託アプリサーバとを備え、この預託ｗｅｂサーバは、ネットワークを介して預託を行うユーザが利用するための顧客パソコン及び預託アプリサーバが加工した預託情報を葬祭場で再生するためのサーバである式場サーバにより葬祭メディアを提供し、
お悔みｗｅｂサーバはネットワークとネットワークに接続されて訃報やお悔み広告を掲載し、お悔みアプリサーバはネットワークに接続されるお悔みｗｅｂサーバを制御し、
お悔みｗｅｂデータベースは前記お悔みｗｅｂサーバに接続されて前記お悔みｗｅｂサーバのデータを格納し、お悔みアプリデータベースは前記お悔みアプリサーバに接続されて前記お悔みアプリサーバのデータを格納する方法であって、
前記お悔みアプリサーバに接続されて前記お悔みアプリサーバのデータを格納するお悔みアプリデータベースとを備え、
お悔みアプリデータベースは、リンク判定プログラムと、データ転送プログラムとが格納され、
リンク判定プログラムは、登録画面データにおいて、リンク可否情報としてリンク可否ラジオボタンで「可」が選択された場合に、登録番号を預託ｗｅｂサーバへリンク請求信号を送信して、預託ｗｅｂサーバからリンクアドレスデータを受信する機能を備え、
預託ｗｅｂサーバによって預託されている対象者の生前に依頼者のメッセージと映像と画像と音声情報が預託され、
預託アプリサーバがこれらの依頼者のメッセージと映像と画像と音声情報の少なくとも一つから映像ソフト生成プログラムにより予め葬祭用映像データを編集して作成して保管し、
預託されている対象者の没後の葬祭場において葬祭用映像データ再生できるように葬祭場にある式場サーバに預託アプリサーバから葬祭用映像データを送信し、
預託アプリサーバがこれらの依頼者のメッセージと映像と画像と音声情報の少なくとも一つから映像ソフト生成プログラムにより予め葬祭用映像データを編集して作成して保管し、
依頼者の没後の葬祭場において葬祭用映像データ再生できるように葬祭場にある式場サーバまたは移動サーバに預託アプリサーバから葬祭用映像データを送信し、
預託されている対象者の方が逝去され、遺族により式典情報は顧客パソコンからお悔みｗｅｂサーバへ送信され、式典情報は顧客パソコンからお悔みｗｅｂサーバへ送信され、お悔みｗｅｂサーバからお悔み葬儀情報の要求信号があるたびに、
データ転送プログラムが起動し、リンク可否情報がリンク可であれば、リンクデータ要求信号を預託アプリサーバへ請求信号を送信することで、
リンクアドレスを伴った預託されている対象者の生前預託したお悔み葬儀情報の掲載されたｗｅｂページデータを生成される葬祭メディア提供方法。
【請求項６】
通夜または告別式の開催情報が掲載されたｗｅｂページに前記預託ｗｅｂサーバによって依頼者のメッセージと映像と画像と音声情報へのリンク情報が同時に掲載される請求項５に記載の葬祭メディア提供方法。
【請求項７】
通夜または告別式の開催情報をｗｅｂページに掲載するのは、遺族又は葬儀社又はマスメディアのいずれかが情報を提供することを特徴とする請求項１に記載の請求項５に記載の葬祭メディア提供方法。
【請求項８】
葬祭に関する情報の預託を受け付けるｗｅｂサーバである預託ｗｅｂサーバと、前記預託ｗｅｂサーバに接続されて預託情報を格納して加工する預託アプリサーバとを備え、この預託ｗｅｂサーバは、ネットワークを介して預託を行うユーザが利用するための顧客パソコン及び預託アプリサーバが加工した預託情報を葬祭場で再生するためのサーバである式場サーバとネットワークに接続されて訃報やお悔み広告を掲載するお悔みｗｅｂサーバと、ネットワークに接続されるお悔みｗｅｂサーバを制御するお悔みアプリサーバと、前記お悔みｗｅｂサーバに接続されて前記お悔みｗｅｂサーバのデータを格納するお悔みｗｅｂデータベースと、前記お悔みアプリサーバに接続されて前記お悔みアプリサーバのデータを格納するお悔みアプリデータベースとからなる葬祭メディア提供システムに、
前記お悔みアプリサーバに接続されて前記お悔みアプリサーバのデータを格納するお悔みアプリデータベースとを備え、
お悔みアプリデータベースは、リンク判定プログラムと、データ転送プログラムとが格納され、
リンク判定プログラムは、登録画面データにおいて、リンク可否情報としてリンク可否ラジオボタンで「可」が選択された場合に、登録番号を預託ｗｅｂサーバへリンク請求信号を送信して、預託ｗｅｂサーバからリンクアドレスデータを受信する機能を備え、
預託ｗｅｂサーバによって預託されている対象者の生前に依頼者のメッセージと映像と画像と音声情報が預託させ、
預託アプリサーバがこれらの依頼者のメッセージと映像と画像と音声情報の少なくとも一つから映像ソフト生成プログラムにより予め葬祭用映像データを編集して作成して保管し、
預託されている対象者の没後の葬祭場において葬祭用映像データ再生できるように葬祭場にある式場サーバに預託アプリサーバから葬祭用映像データを送信させ、
預託アプリサーバがこれらの依頼者のメッセージと映像と画像と音声情報の少なくとも一つから映像ソフト生成プログラムにより予め葬祭用映像データを編集して作成して保管し、
依頼者の没後の葬祭場において葬祭用映像データ再生できるように葬祭場にある式場サーバまたは移動サーバに預託アプリサーバから葬祭用映像データを送信し、
預託されている対象者の方が逝去され、遺族により式典情報は顧客パソコンからお悔みｗｅｂサーバへ送信され、式典情報は顧客パソコンからお悔みｗｅｂサーバへ送信され、お悔みｗｅｂサーバからお悔み葬儀情報の要求信号があるたびに、
データ転送プログラムが起動し、リンク可否情報がリンク可であれば、リンクデータ要求信号を預託アプリサーバへ請求信号を送信することで、
リンクアドレスを伴った預託されている対象者の生前預託したお悔み葬儀情報の掲載されたｗｅｂページデータを生成されるための葬祭メディア提供プログラム。
【請求項９】
通夜または告別式の開催情報が掲載されたｗｅｂページに前記預託ｗｅｂサーバによって依頼者のメッセージと映像と画像と音声情報へのリンク情報が同時に掲載される請求項８に記載の葬祭メディア提供プログラム。
【請求項１０】
通夜または告別式の開催情報をｗｅｂページに掲載するのは、遺族又は葬儀社又はマスメディアのいずれかが情報を提供することを特徴とする請求項８に記載の葬祭メディア提供プログラム。
【発明の詳細な説明】
【技術分野】
【０００１】
本発明は、葬祭等においてのメッセージ、映写・発表等のサービス、お別れメッセージのインターネット上での公開方法、訃報告知であるお悔み情報のインターネットでの提供方法に関するものである。
【背景技術】
【０００２】
葬儀において、映像や画像を用いて故人を偲ぶサービスがしばしば提供されてご遺族を始めとして好評を得ている。
【０００３】
一方、訃報告知は、各新聞のお悔やみ欄等で周知され、必要情報として利用されている。インターネットでの著名人の訃報情報提供も一部利用されているが、高額であり一般人の利用はされていない。
【０００４】
Ａ地方に住んでいる人は、Ｂ地方での訃報情報の獲得は困難であり、供花や、弔文・弔電の送付は難しい現状がある。
【０００５】
また、全国各地の葬儀会社は各社で施工する葬祭情報は持っているが、全国で共有できる状態ではなく、各地に居住する利用者からの発注により、当該地での供花や、弔文・弔電の提供はされていない。
【先行技術文献】
【特許文献】
【０００６】
【特許文献１】特開２００９−３２２２０号公報
【発明の概要】
【発明が解決しようとする課題】
【０００７】
しかしながら、通常、通夜や葬儀が行われるのは、故人が亡くなられてから十分な日程もない状態で執り行われるため、短時間で映像や画像を用いる作品を制作して提供することは極めて困難を伴う。
【０００８】
また、各新聞での訃報告知は、朝刊と夕刊であるためと各新聞社発行に分割して掲載されているため、全国の情報を得るのは困難である。
【０００９】
そこで、本発明によれば、葬祭儀式（一般的な通夜・告別式にあたる儀式）等において、故人のメッセージを披露したり、在りし日の映像等を予め預託して映像ソフトを制作する葬祭メディア提供システム並びにその方法を提供することにある。また、生前に本人より、人生で関わりのあった多くの方（不特定多数）への書面メッセージや、音源メッセージ・動画メッセージや、写真画像・映像の預託を受け、故人となられた場合はｗｅｂ上でその画像・映像とともに、書面メッセージや、音源メッセージ・動画メッセージを、『近日中に人生を閉じられた方からのお別れメッセージ』として公開発表することを目的としている。
【００１０】
さらに、低額で、一般の生活者が利用可能な、インターネットでのタイムリーな、全国的な訃報情報のサービスの提供を目的としている。
【００１１】
加えて、全国各地の葬儀会社は各社で施工する葬祭情報は持っているが、全国で共有できる状態ではなく、Ａ地方に居住する利用者からの発注により、Ｂ地方での供花や、弔文・弔電の提供を目的としている。
【課題を解決するための手段】
【００１２】
上記の課題を解決するために、第一の発明は、葬祭メディア提供システムであって、葬祭に関する情報の預託を受け付けるｗｅｂサーバである預託ｗｅｂサーバと、前記預託ｗｅｂサーバに接続されて預託情報を格納して加工する預託アプリサーバとを備え、この預託ｗｅｂサーバは、ネットワークを介して預託を行うユーザが利用するための顧客パソコン及び預託アプリサーバが加工した預託情報を葬祭場で再生するためのサーバである式場サーバや、移動サ−バとからなり、預託ｗｅｂサーバによって依頼者のーと映像と画像と音声情報が預託され、
預託アプリサーバがこれらの依頼者のメッセージと映像と画像と音声情報の少なくとも一つから映像ソフト生成プログラムにより予め葬祭用映像データを編集して作成して保管し、
依頼者の没後の葬祭場において葬祭用映像データ再生できるように葬祭場にある式場サーバに預託アプリサーバから葬祭用映像データを送信する。また、式場サーバの設備の備わっていない場合等は、預託アプリサーバから葬祭用映像データを移動サ−バに保管して式場に持ち込み、葬祭用映像データ等を再生する。
【００１３】
また、第二の発明は、葬祭メディア提供方法であって、葬祭に関する情報の預託を受け付けるｗｅｂサーバである預託ｗｅｂサーバと、前記預託ｗｅｂサーバに接続されて預託情報を格納して加工する預託アプリサーバとを備え、この預託ｗｅｂサーバは、ネットワークを介して預託を行うユーザが利用するための顧客パソコン及び預託アプリサーバが加工した預託情報を葬祭場で再生するためのサーバである式場サーバにより葬祭メディアを提供する方法であって、
預託ｗｅｂサーバによって依頼者のメッセージと映像と画像と音声情報が預託され、
預託アプリサーバがこれらの依頼者のメッセージと映像と画像と音声情報の少なくとも一つから映像ソフト生成プログラムにより予め葬祭用映像データを編集して作成して保管し、
依頼者の没後の葬祭場において葬祭用映像データ再生できるように葬祭場にある式場サーバに預託アプリサーバから葬祭用映像データを送信する。
【００１４】
さらに第三の発明は、葬祭メディア提供プログラムであって、葬祭に関する情報の預託を受け付けるｗｅｂサーバである預託ｗｅｂサーバと、前記預託ｗｅｂサーバに接続されて預託情報を格納して加工する預託アプリサーバとを備え、この預託ｗｅｂサーバは、ネットワークを介して預託を行うユーザが利用するための顧客パソコン及び預託アプリサーバが加工した預託情報を葬祭場で再生するためのサーバである式場サーバとからなる葬祭メディア提供システムに、
預託ｗｅｂサーバによって依頼者のメッセージと映像と画像と音声情報が預託させ、
預託アプリサーバがこれらの依頼者のメッセージと映像と画像と音声情報の少なくとも一つから映像ソフト生成プログラムにより予め葬祭用映像データを編集して作成して保管し、
依頼者の没後の葬祭場において葬祭用映像データ再生できるように葬祭場にある式場サーバに預託アプリサーバから葬祭用映像データを送信させる。
【発明の効果】
【００１５】
以上説明したように、本発明によれば、メッセージを披露したり、在りし日の映像等を予め預託することができるので、本人の意思に基づいて映像を作成して葬儀で再生することが可能となるため、本人と遺族の満足度を高めることができる。
【図面の簡単な説明】
【００１６】
【図１】本発明の第１実施形態に係る葬祭メディア提供システムの構成を示すブロックダイヤグラムである。
【図２】本発明の第１実施形態に係る葬祭メディア提供システムにおける預託ｗｅｂサーバの構成図である。
【図３】本発明の第１実施形態に係る葬祭メディア提供システムにおける預託アプリサーバの構成図である。
【図４】本発明の第１実施形態に係る葬祭メディア提供システムにおける式場サーバの構成図である。
【図５】本発明の第１実施形態に係る葬祭メディア提供システムにおけるデータ登録のフローチャートである。
【図６】本発明の第１実施形態に係る葬祭メディア提供システムにおけるメニュー画面の構成図である。
【図７】本発明の第１実施形態に係る葬祭メディア提供システムにおけるユーザ登録画面の構成図である。
【図８】本発明の第１実施形態に係る葬祭メディア提供システムにおけるユーザ登録データの構成図である。
【図９】本発明の第１実施形態に係る葬祭メディア提供システムにおけるログイン画面の構成図である。
【図１０】本発明の第１実施形態に係る葬祭メディア提供システムにおけるメッセージ・写真・映像の預託依頼画面１の構成図である。
【図１１】本発明の第１実施形態に係る葬祭メディア提供システムにおけるメッセージ・写真・映像の預託依頼画面２の構成図である。
【図１２】本発明の第１実施形態に係る葬祭メディア提供システムにおける逝去のご連絡と預託確認１画面の構成図である。
【図１３】本発明の第１実施形態に係る葬祭メディア提供システムにおける逝去のご連絡と預託確認２画面の構成図である。
【図１４】本発明の第１実施形態に係る葬祭メディア提供システムにおけるメッセージ・写真・映像の預託依頼のフローチャートである。
【図１５】本発明の第１実施形態に係る葬祭メディア提供システムにおけるメッセージ・写真・映像の預託依頼のフローチャートである。
【図１６】本発明の第２実施形態に係る葬祭メディア提供システムの構成を示すブロックダイヤグラムである。
【図１７】本発明の第２実施形態に係る葬祭メディア提供システムにおけるメッセージ・写真・映像の預託依頼のフローチャートである。
【図１８】本発明の第３実施形態に係る葬祭メディア提供システムの構成を示すブロックダイヤグラムである。
【図１９】本発明の第３実施形態に係る葬祭メディア提供システムにおけるお悔やみｗｅｂサーバの構成図である。
【図２０】本発明の第３実施形態に係る葬祭メディア提供システムにおけるお悔やみアプリサーバの構成図である。
【図２１】本発明の第３実施形態に係る葬祭メディア提供システムにおけるデータ登録のフローチャートである。
【図２２】本発明の第３実施形態に係る葬祭メディア提供システムにおける全国版お悔み葬儀情報画面その１の構成図である。
【図２３】本発明の第３実施形態に係る葬祭メディア提供システムにおける全国版お悔み葬儀情報画面その２の構成図である。
【図２４】本発明の第３実施形態に係る葬祭メディア提供システムにおける全国版お悔み葬儀情報画面の個別画面の構成図である。
【図２５】本発明の第３実施形態に係る葬祭メディア提供システムにおける全国版お悔み葬儀情報画面の掲示板ユーザ登録画面その１の構成図である。
【図２６】本発明の第３実施形態に係る葬祭メディア提供システムにおける全国版お悔み葬儀情報画面の掲示板ユーザ登録画面その２の構成図である。
【図２７】本発明の第４実施形態に係る葬祭メディア提供システムの構成を示すブロックダイヤグラムである。
【図２８】本発明の第４実施形態に係る葬祭メディア提供システムにおけるデータ登録のフローチャートである。
【発明を実施するための形態】
【００１７】
（第１の実施の形態）
以下、本発明の第１の実施の形態を図面に基づいて説明する。
【００１８】
（本発明の構成）
（全体構成）
図１は、本発明に係る葬祭メディア提供システムの構成を示すブロックダイヤグラムである。この葬祭メディア提供システムは、葬祭を主催する喪主又は生前に葬祭を計画する依頼者から故人に関するメッセージ、画像、映像データをネットワーク経由で受領し、葬祭時に葬祭に参列する参列者に提供することにより故人を偲ぶ機会を提供するシステムである。このシステムは、葬祭に関する情報の預託を受け付けるｗｅｂサーバである預託ｗｅｂサーバ２と、預託ｗｅｂサーバ２に接続されて預託情報を格納して加工する預託アプリサーバ４とを備える。この預託ｗｅｂサーバ２は、ネットワーク８を介して預託を行うユーザが利用するための顧客パソコン１２，１４，１６及び預託アプリサーバ４が加工した預託情報を葬祭場で再生するためのサーバである式場サーバ１８と接続される。
【００１９】
（預託ｗｅｂサーバの構成）
図２は、本発明の第１実施形態に係る葬祭メディア提供システムにおける預託ｗｅｂサーバの構成図である。この預託ｗｅｂサーバ２は、ｗｅｂデータベース（ＤＢ）６と連結される。また、この預託ｗｅｂサーバ２は、通信ポート３４を介してネットワーク８と連結され、さらに通信ポート３４は、Ｉ／Ｏポート３６に連結され、Ｉ／Ｏポート３６が共通バスライン３２に連結される。一方、この共通バスライン３２を介してＣＰＵ３８、ＲＯＭ４０、ＲＡＭ４２とメインの記憶手段であるハードディスク（ＨＤＤ）から構成されるプログラム格納部３０と連結される。
【００２０】
預託ｗｅｂサーバ２に内蔵されるハードディスク（ＨＤＤ）から構成されるプログラム格納部３０は、顧客パソコン等の要求に応じてｗｅｂページを送信するｗｅｂデータ送信プログラム４４と、ｗｅｂページで経由で入力されたデータを転送するデータ転送プログラム４６が格納される。
【００２１】
一方、ｗｅｂデータベース（ＤＢ）６は、メインメニューのｗｅｂデータであるメインメニュー画面データ４８と、登録画面のｗｅｂページである登録画面データ５０と、メッセージ・写真・映像の預託依頼画面データ５２とを格納している。このｗｅｂデータベース（ＤＢ）６は、Ｉ／Ｏポート３６を介してＣＰＵ３８に連結される。
【００２２】
（預託アプリサーバ４の構成）
一方、図３は本発明の第１実施形態に係る葬祭メディア提供システムにおける預託アプリサーバの構成図である。この預託アプリサーバ４は、アプリデータベース（ＤＢ）１０と連結される。また、この預託アプリサーバ４は、通信ポート６４を介して預託ｗｅｂサーバ２と連結され、さらに通信ポート６４は、Ｉ／Ｏポート６６に連結され、Ｉ／Ｏポート６６が共通バスライン６２に連結される。一方、この共通バスライン６２を介してＣＰＵ６８、ＲＯＭ７０、ＲＡＭ７２とメインの記憶手段であるハードディスク（ＨＤＤ）から構成されるプログラム格納部６０と連結される。
【００２３】
サーバに内蔵されるハードディスク（ＨＤＤ）から構成されるプログラム格納部６０は、預託ｗｅｂサーバ２から送信されるデータをアプリデータベース（ＤＢ）１０に格納するデータ格納プログラム７４と、ユーザ登録するデータからＩＤ番号を生成するＩＤ番号決定プログラム７６と、ログイン時に入力されたＩＤ番号とパスワードを認証するＩＤ番号判定プログラム７８と、預託されたデータから映像ソフトを生成する映像ソフト生成プログラム８０と、生成された映像ソフトデータを式場サーバ１８に転送するデータ転送プログラム８２が格納される。
【００２４】
一方、アプリデータベース（ＤＢ）１０は、ユーザ登録データ８４と、ＩＤ、パスワードデータ８６と、葬祭データ８８と、メッセージ・写真・映像データ９０と、映像ソフトデータ９２とが格納される。
【００２５】
ユーザ登録データ８４は、氏名１４２、登録用パスワード１４４、メールアドレス１４６、住所１５０、クレジットカードの会社名１５２、クレジットカード番号１５４と、クレジットカードの有効期限１５６からなるデータがＩＤ毎に格納される。
【００２６】
ＩＤ、パスワードデータ８６は、ＩＤ番号決定プログラム７６の生成するプログラム７６と、顧客がユーザ登録時に指定するパスワードが格納される。
【００２７】
葬祭データ８８は、依頼者が生前に自らまたは将来逝去が予測される対象者の死後の葬祭を準備して依頼する生前預託と、既に対象者が逝去している場合は故人委託のいずれかとなるが、その旨の情報が登録番号毎に格納される。さらに、登録者と故人が異なる場合の故人名、葬祭時の宗教、宗派、式典会場、通夜日程と時間、葬儀の日程と日時、映像ソフトデータ９２を葬祭後にｗｅｂ上で公開するか否かの可否情報とから構成される。
【００２８】
メッセージ・写真・映像データ９０は、故人によるテキストベースの文章メッセージデータ１６６と、故人または関係者による手書き文字等をスキャナ等で読み取った画像データ１６８と、故人の遺影や在りし日々の写真データ１７０と、在りし日々の動画データ１７２，１７４と、故人の好んだ音楽、または葬祭時に演奏を希望する音楽データ１７６、依頼者メッセージデータ１７８、音声メッセージデータ１８０から構成される。
【００２９】
映像ソフトデータ９２は、メッセージ・写真・映像データ９０から、生成されるデータである。
【００３０】
このアプリデータベース（ＤＢ）１０は、は、Ｉ／Ｏポート６６を介してＣＰＵ６８に連結される。
【００３１】
（式場サーバ１８の構成）
続いて、図４は本発明の第１実施形態に係る葬祭メディア提供システムにおける式場サーバ１８の構成図である。この式場サーバ１８は、式場データベース（ＤＢ）２０と連結される。また、この式場サーバ１８は、通信ポート１０４を介してネットワーク８と連結され、さらに通信ポート１０４は、Ｉ／Ｏポート１０８に連結され、Ｉ／Ｏポート１０８が共通バスライン１０２に連結される。一方、この共通バスライン１０２を介してＣＰＵ１１０、ＲＯＭ１１２、ＲＡＭ１１４とメインの記憶手段であるハードディスク（ＨＤＤ）から構成されるプログラム格納部１００と連結される。
【００３２】
サーバに内蔵されるハードディスク（ＨＤＤ）から構成されるプログラム格納部１００は、預託アプリサーバ４から送信されるデータを式場データベース（ＤＢ）２０に格納するデータ格納プログラム１１６と、登録された故人の遺影や在りし日々の写真データ１７０から故人の遺影をモニタやプロジェクタで投影させる遺影表示プログラム１１８と、預託アプリサーバ４が生成して式場サーバ１８に転送する映像ソフトや、登録された故人の遺影や在りし日々の写真データ１７０、音源メッセージ・書面メッセージを式場サーバに接続されるモニタやプロジェクタで投影させて再生する映像ソフト再生プログラム１２０が格納される。
【００３３】
一方、式場データベース（ＤＢ）２０は、ユーザ登録データ１２２と、遺影データ１２４と、映像ソフトデータ１２６と、葬祭データ１２８とが格納される。
【００３４】
ユーザ登録データ１２２は、氏名１４２、登録用パスワード１４４、メールアドレス１４６、住所１５０、クレジットカードの会社名１５２、クレジットカード番号１５４と、クレジットカードの有効期限１５６からなるデータがＩＤ毎に格納される。
【００３５】
遺影データ１２４は、登録された故人の遺影や在りし日々の写真データ１７０から故人の遺影を登録番号１８２毎に集めたものである。
【００３６】
映像ソフトデータ１２６は、メッセージ・写真・映像データ９０から、生成されるデータであって預託アプリサーバ４より転送されたものである。
【００３７】
葬祭データ１２８は、依頼者が生前に自らまたは将来逝去が予測される対象者の死後の葬祭を準備して依頼する生前預託と、既に対象者が逝去している場合は故人委託のいずれかとなるが、その旨の情報が登録番号毎に格納される。さらに、登録者と故人が異なる場合の故人名、葬祭時の宗教、宗派、式典会場、通夜日程と時間、葬儀の日程と日時、映像ソフトデータ９２を葬祭後にｗｅｂ上で公開するか否かの可否情報とから構成される。
【００３８】
この式場データベース（ＤＢ）２０は、は、Ｉ／Ｏポート１０８を介してＣＰＵ１１０に連結される。
【００３９】
（本発明の動作）
（登録動作）
図５は、本発明の第１実施形態に係る葬祭メディア提供システムにおけるデータ登録のフローチャートである。この図５を用いて本発明に係る葬祭メディア提供システムの動作について説明する。
【００４０】
ここでは、自らの葬祭について自らのメッセージを自らの葬祭に参列する参列者に伝達することを希望する依頼者が、顧客パソコンＡを使用して本発明のシステムに登録する工程について説明する。
【００４１】
依頼者は、顧客パソコンＡ１２に搭載されるｗｅｂブラウザより本発明に係るシステムのｗｅｂアドレスを直接入力または、検索エンジンサイト経由で調査して本発明のメニューシステムにアクセスするよう顧客パソコンＡ１２を操作する。
【００４２】
すると、ｗｅｂブラウザからの指示により、顧客パソコンＡ１２は預託ｗｅｂサーバ２にメインメニューを表示するよう要求する信号を生成して、預託ｗｅｂサーバ２に送信する（Ａ２）。
【００４３】
預託ｗｅｂサーバ２に格納されるｗｅｂデータ送信プログラム４４は、メインメニューを表示するよう要求する信号を受信すると、メインメニュー画面データ４８を顧客パソコンＡ１２に送信する（Ａ４）。このメインメニュー画面は、図６に示す画面である。
【００４４】
続いて、ｗｅｂブラウザからの指示により、顧客パソコンＡ１２は預託ｗｅｂサーバ２に登録画面を表示するよう要求する信号を生成して、預託ｗｅｂサーバ２に送信する（Ａ６）。
【００４５】
預託ｗｅｂサーバ２に格納されるｗｅｂデータ送信プログラム４４は、登録画面を表示するよう要求する信号を受信すると、登録画面データ５０を顧客パソコンＡ１２に送信する（Ａ８）。このメインメニュー画面は、図７に示す画面である。
【００４６】
登録画面において、ｗｅｂブラウザに、氏名１４２、登録用パスワード１４４、メールアドレス１４６、住所１５０、クレジットカードのカード会社名１５２、クレジットカード番号１５４、クレジットカードの有効期限１５６が入力される（Ａ１０）。
【００４７】
Ａ１０工程で入力されたデータは、登録画面において、登録ボタン１５７が選択されると、顧客パソコンＡ１２は預託ｗｅｂサーバ２に登録データを送信する信号を生成して、預託ｗｅｂサーバ２に送信する（Ａ１２）。
【００４８】
預託ｗｅｂサーバ２に格納されるデータ転送プログラム４６は、登録データを送信する信号を受信すると、登録データを預託アプリサーバ４に転送する（Ａ１４）。
【００４９】
預託アプリサーバ４に格納されるデータ格納プログラム７４が、転送された登録データを送信する信号を受信すると、アプリデータベース（ＤＢ）１０に、ｗｅｂブラウザに、氏名１４２、登録用パスワード１４４、メールアドレス１４６、住所１５０、クレジットカードのカード会社名１５２、クレジットカード番号１５４、クレジットカードの有効期限１５６（以下登録データ）を格納する（Ａ１６）。
【００５０】
さらに、預託アプリサーバ４に格納されるデータ格納プログラム７４が、ＩＤ番号決定プログラム７６が起動して、アプリデータベース（ＤＢ）１０に格納されるＩＤ、パスワードデータ８６において使用されていないＩＤ番号を選択して、今回登録したデータに対応するＩＤ番号を決定する（Ａ１８）。この際、データ格納プログラム７４は、改めて確定したＩＤ番号とともに、登録データをユーザ登録データ８４に格納する。格納されたデータ例を図８に示す。ここで、番号、氏名、パスワード（ＰＷ），メールアドレス（Ｍａｉｌ）、住所、会社、番号、期限が登録される。
【００５１】
引き続いて、預託アプリサーバ４に格納されるＩＤ番号決定プログラム７６は、確定したＩＤ番号情報と登録情報を、預託ｗｅｂサーバ２に転送する（Ａ２０）。
【００５２】
確定したＩＤ番号情報を受信した預託ｗｅｂサーバ２は、データ転送プログラム４６により、確定したＩＤ番号情報と登録情報を顧客パソコンＡ１２に転送する（Ａ２２）。これにより、ＩＤ番号を含む登録情報を顧客パソコンＡ１２で確認でき、登録手続が完了する。
【００５３】
（メニュー画面）
図６は、本発明の第１実施形態に係る葬祭メディア提供システムにおけるメニュー画面１３０の構成図である。
【００５４】
メニュー画面１３０は、メッセージ・写真・映像の預託依頼ボタン１３２と、ユーザ登録ボタン１３４と、逝去のご連絡ボタン１３６と、ログインボタン１３８とから構成される。
【００５５】
（ユーザ登録画面）
図７は、本発明の第１実施形態に係る葬祭メディア提供システムにおけるユーザ登録画面の構成図である。
【００５６】
ユーザ登録画面は、氏名入力枠１４２と、登録用パスワード入力枠１４４と、メールアドレス入力枠１４６と、メールアドレス再入力枠１４８と、住所入力枠１５０と、払込用クレジットカードの会社名入力枠１５２と、クレジットカードのカード番号入力枠１５４と、クレジットカードの有効期限入力枠１５６と、登録ボタン１５７とから構成される。
【００５７】
（ユーザ登録データ）
図８は、本発明の第１実施形態に係る葬祭メディア提供システムにおけるユーザ登録データの構成図である。データ毎にＩＤ番号、登録者の氏名、登録者のパスワード、登録者の電子メールアドレス、登録者の住所、登録者支払い用クレジットカードの会社名、登録者支払い用クレジットカードの番号、登録者支払い用クレジットカードの期限からなるデータである。
【００５８】
（ログイン画面）
図９は、本発明の第１実施形態に係る葬祭メディア提供システムにおけるログイン画面の構成図である。ＩＤ番号入力枠とパスワード入力枠とから構成される。
【００５９】
（メッセージ・写真・映像の預託依頼１入力画面）
図１０は、本発明の第１実施形態に係る葬祭メディア提供システムにおけるメッセージ・写真・映像の預託依頼１入力画面の構成図である。この預託依頼画面には、登録番号入力枠１６０と、パスワード入力枠１６１と、ログイン入力枠１６３と、預託タイプ選択用の「生前」用ラジオボタンと、「故人」用ラジオボタン１６２と、故人名入力枠１６４と、本人メッセージ入力枠１６６と、書面メッセージデータファイル名入力枠１６８と、写真１データファイル名入力枠１７０と、映像１データファイル名入力枠１７２と、映像２データファイル名入力枠１７４と、音楽１データファイル名入力枠１７６と、依頼者メッセージ入力枠１７８と、音声メッセージデータファイル名入力枠１８０と、登録ボタン１８１とが配置される。
【００６０】
（メッセージ・写真・映像の預託依頼２入力画面）
図１１は、本発明の第１実施形態に係る葬祭メディア提供システムにおけるメッセージ・写真・映像の預託依頼２入力画面の構成図である。メッセージ・写真・映像の預託依頼２入力画面は、登録番号入力枠１８２と、故人の宗教名入力枠１８６と、故人の宗派名入力枠１８８と、ｗｅｂ発表の可否入力ラジオボタン１９６が設けられる。
【００６１】
（逝去のご連絡及び預託確認１入力画面）
図１２は、本発明の第１実施形態に係る葬祭メディア提供システムにおける逝去のご連絡及び預託確認１画面の構成図である。この預託依頼画面には、登録番号入力枠１６０と、預託タイプ選択用の「生前」用ラジオボタンと、「遺族」用ラジオボタン１６２と、故人名入力枠１６４と、本人メッセージ入力枠１６６と、書面メッセージデータファイル名入力枠１６８と、写真１データファイル名入力枠１７０と、映像１データファイル名入力枠１７２と、映像２データファイル名入力枠１７４と、音楽１データファイル名入力枠１７６と、依頼者メッセージ入力枠１７８と、音声メッセージデータファイル名入力枠１８０と、確認ボタン１７９とが配置される。
【００６２】
（逝去のご連絡及び預託確認１入力画面）
図１３は、本発明の第１実施形態に係る葬祭メディア提供システムにおける逝去のご連絡画面の構成図である。逝去のご連絡画面は、登録番号入力枠１８２と、故人の宗教名入力枠１８６と、故人の宗派名入力枠１８８と、故人の逝去日１８９と、式典会場名入力枠１９０と、通夜年月日開始時刻入力枠１９２と、葬儀年月日開始時刻入力枠１９４と、ｗｅｂ発表の可否入力ラジオボタン１９６とが配置されている。
【００６３】
（メッセージ・写真・映像の預託依頼工程）
図１４は、本発明の第１実施形態に係る葬祭メディア提供システムにおけるメッセージ・写真・映像の預託依頼のフローチャートである。
【００６４】
ここでは、本発明の第１実施形態に係る葬祭メディア提供システムにログインし、預託依頼を行う工程についてその動作について説明する。
【００６５】
依頼者は、顧客パソコンＡ１２に搭載されるｗｅｂブラウザに開示されるメニュー画面１３０においてログインボタン１３８を選択してログイン画面要求を行うと、顧客パソコンＡ１２は預託ｗｅｂサーバ２にログインメニューを表示するよう要求する信号を生成して、預託ｗｅｂサーバ２に送信する（Ｂ２）。
【００６６】
預託ｗｅｂサーバ２に格納されるｗｅｂデータ送信プログラム４４は、ログインメニューを表示するよう要求する信号を受信すると、ログインメニュー画面データ１５８を顧客パソコンＡ１２に送信する（Ｂ４）。
【００６７】
顧客パソコンＡ１２は、ログインメニュー画面にＩＤ番号と、パスワードが入力されて、ログインボタン１６３が選択されると、ＩＤ番号とパスワードが預託ｗｅｂサーバ２に送信される（Ｂ６）。
【００６８】
預託ｗｅｂサーバ２は、顧客パソコンＡ１２からＩＤ番号とパスワードが送信されると、データ転送プログラム４６により、このＩＤ番号とパスワードを預託アプリサーバ４に転送する（Ｂ８）。
【００６９】
預託アプリサーバ４は、このＩＤ番号とパスワードを受信すると、ＩＤ番号判定プログラム７８が起動する。ＩＤ番号判定プログラム７８は、ＩＤ番号を基にアプリデータベース（ＤＢ）１０に格納されるＩＤ、パスワードデータ８６を参照して、送信されたパスワードと格納されていたパスワードを比較して送信されたＩＤ番号を判定する（Ｂ１０）。判定した結果、パスワードが一致しない場合は、その旨預託ｗｅｂサーバ２を介して顧客パソコン１２へ送信される。
【００７０】
判定した結果、パスワードが一致する場合は、ＩＤ番号判定プログラム７８がログインを許可する（Ｂ１２）。この場合、ログイン許可信号をＩＤ番号判定プログラム７８により預託ｗｅｂサーバ２へ送信する。
【００７１】
預託ｗｅｂサーバ２は、ログイン許可信号を受信するとｗｅｂデータ送信プログラム４４によりメニュー画面１３０データを顧客パソコン１２に送信し、データ転送プログラム４６によりログイン許可信号を転送する（Ｂ１４）。
【００７２】
顧客パソコンＡ１２は、メニュー画面１３０でメッセージ・写真・映像の預託依頼ボタン１３２を選択すると、メッセージ・写真・映像の預託依頼画面の表示要求信号が預託ｗｅｂサーバ２宛てに送信される（Ｂ１６）。
【００７３】
預託ｗｅｂサーバ２は、このメッセージ・写真・映像の預託依頼画面の表示要求信号を受信すると、このメッセージ・写真・映像の預託依頼画面データをｗｅｂデータ送信プログラム４４により、顧客パソコン１２へ送信する（Ｂ１８）。
【００７４】
顧客パソコンＡ１２は、このメッセージ・写真・映像の預託依頼画面データを画面に表示させ、入力待ちとなる。入力されるのは、預託のタイプ、故人名、本人メッセージ、書面メッセージ、写真、映像、音楽、依頼者メッセージ、音声メッセージである。
【００７５】
預託タイプは、自分の死後の葬祭の演出を考えている本人が生前に本システムの利用を考える場合は、「生前」ラジオボタンを選択する。一方、葬祭を検討している喪主等が入力する場合は、「故人」ラジオボタンを選択する。
【００７６】
故人名は、「故人」ラジオボタンを選択した場合に、故人の氏名を故人名枠１６４に入力する。
【００７７】
本人メッセージは、テキストによるメッセージである。本人が自らの没後に関係者に対して伝えたいメッセージを本人メッセージ枠１６６に入力する。
【００７８】
書面メッセージは、書面等に記載され、スキャナ等で光学的に読み取りがなされ、画像データ化された書面メッセージデータであり、書面メッセージ枠１７０に入力する。
【００７９】
写真１は、依頼者の近影等であって、さらに遺影として使用可能な肖像写真等のデータを入力する。その他、依頼者が掲載を希望する写真であってもよく、写真ファイルデータのデータ名を写真１入力枠１７２に入力する。
【００８０】
映像１は、依頼者が掲載を希望する映像であり、映像ファイルデータのデータ名を映像１入力枠１７２に入力する。
【００８１】
映像２は、映像１同様に依頼者が掲載を希望する映像であり、映像ファイルデータのデータ名を映像１入力枠１７４に入力する。
【００８２】
音楽１は、依頼者の葬祭における葬送曲を選択して登録することができ、音声ファイルデータのデータ名を音楽１入力枠１７６に入力する。
【００８３】
依頼者メッセージは、故人を送る側の代表として故人に対するメッセージを入力するためのものであり、依頼者メッセージ入力枠１７８に入力する。
【００８４】
音声メッセージは、依頼者の音声によるメッセージ、依頼者の歌声、依頼者による楽器の演奏等による音声データファイルのファイル名を音声メッセージ入力枠１８０に入力する。
【００８５】
顧客パソコンＡ１２は、以上のデータを入力し、登録を行う場合は、登録ボタン１８１が選択される。登録ボタン１８１が選択されると、入力されたデータは、顧客パソコン１２から預託ｗｅｂサーバ２へ送信される。
【００８６】
預託ｗｅｂサーバ２におけるｗｅｂデータ送信プログラム４４が、前記入力されたデータを受信すると、さらに、データ転送プログラム４６により預託アプリサーバ４へ送信される（Ｂ２２）。
【００８７】
預託アプリサーバ４によるデータ格納プログラム７４が、前記入力したデータを受信すると、アプリデータベース（ＤＢ）１０のメッセージ・写真・映像データ９０に格納してデータが登録される（Ｂ２４）。次の工程は、図１３に記載される。
【００８８】
図１５は、本発明の第１実施形態に係る葬祭メディア提供システムにおけるメッセージ・写真・映像の預託依頼のフローチャートである。
【００８９】
データ格納プログラム７４が、メッセージ・写真・映像データ９０に格納してデータが登録されると、映像ソフト生成プログラム８０が起動する。
【００９０】
映像ソフト生成プログラム８０は、予め故人紹介動画について、フレームを作成しておき、そのフレームに、入力されたメッセージ・写真・映像データをそれぞれ挿入することで、故人紹介動画を生成する（Ｂ２６）。
【００９１】
映像ソフト生成プログラム８０は、完成した故人紹介動画をアプリデータベース（ＤＢ）１０における映像ソフトデータ９２に格納する（Ｂ２８）。
【００９２】
一方、生前本発明に係るシステムにメッセージ・写真・映像データを登録した場合であって、依頼者が逝去された場合について説明する。
【００９３】
まず、依頼者である対象者が逝去される（Ｂ３０）。
【００９４】
この場合、逝去された依頼者の親族であって、葬儀を主催する喪主は、メニュー画面１３０において、逝去のご連絡ボタン１３６を選択する。すると、顧客パソコン１２よりメニュー画面１３０要求の信号が送信される（Ｂ３２）。
【００９５】
預託ｗｅｂサーバ２は、メニュー画面１３０要求の信号を受信すると、ｗｅｂデータ送信プログラム４４により逝去のご連絡画面１８０データが顧客パソコン１２宛てに送信される（Ｂ３４）。
【００９６】
顧客パソコン１２は、逝去のご連絡画面１８０データを受信すると、逝去のご連絡画面１８０を表示し、逝去のご連絡画面１８０入力待ち状態となる。そこで、故人となられた方の宗教、宗派、式典会場、通夜の日程時間、葬儀に日程時間およびｗｅｂ発表の可否情報の入力が可能となる。
【００９７】
宗教とは、故人並びに依頼者の方が葬儀を営む際に指定する宗教名であり、宗教名入力枠１８６に宗教名が入力される。
【００９８】
宗派とは、宗教名のみでは葬儀方法等が確定しない場合に、教義・信仰対象などの違いや歴史的経緯により生じた分派であり、特に仏教において重要となり、故人の宗派名入力枠１８８に宗派名が入力される。
【００９９】
式典会場とは、通夜または葬儀を開催する会場名であり、式典会場名入力枠１９０に式典会場名が入力される。
【０１００】
通夜は、葬儀前夜に夜通しで行う儀式であり、その通夜の開始日時情報が必要であり、通夜年月日開始時刻入力枠１９２に通夜が開始される年月日と時刻が入力される。
【０１０１】
葬儀は、人の死を弔うために行われる祭儀、葬制の一部であり、その葬儀の開始日時情報が必要であり、葬儀年月日開始時刻入力枠１９４に葬儀が開始される年月日と時刻が入力される。
【０１０２】
ｗｅｂ発表とは、制作された映像ソフトをｗｅｂページから外部向けに発信することで発表するものである。このｗｅｂ発表の可否についてラジオボタンで選択される。以上を式典情報とする。
【０１０３】
以上の情報を式典情報を入力する。その後、式典情報は顧客パソコン１２から預託ｗｅｂサーバ２へ送信される（Ｂ３６）。
【０１０４】
預託ｗｅｂサーバ２は、式典情報を受信すると、データ転送プログラム４６により、預託アプリサーバ４へ転送される（Ｂ３８）。
【０１０５】
預託アプリサーバ４は、式典情報を受信すると、データ格納プログラム７４が起動し、式典情報を葬祭データ８８として、アプリデータベース（ＤＢ）１０に格納する。
【０１０６】
さらに、データ転送プログラム８２が起動し、映像ソフトデータを葬祭会場に配置される式場サーバ１８へ映像ソフトデータを送信する（Ｂ４２）。
【０１０７】
（第２の実施の形態）
以下、本発明の第２の実施の形態を図面に基づいて説明する。
【０１０８】
（本発明の構成）
（全体構成）
なお、第２の実施の形態では、第１の実施の形態と異なる点についてのみ説明する。
【０１０９】
図１６は、本発明に係る葬祭メディア提供システムの構成の第２の実施形態を示すブロックダイヤグラムである。この葬祭メディア提供システムは、葬祭を主催する喪主又は生前に葬祭を計画する依頼者から故人に関するメッセージ、画像、映像データをネットワーク経由で受領し、葬祭時に葬祭に参列する参列者に提供することにより故人を偲ぶ機会を提供するシステムである。このシステムは、葬祭に関する情報の預託を受け付けるｗｅｂサーバである預託ｗｅｂサーバ２と、預託ｗｅｂサーバ２に接続されて預託情報を格納して加工する預託アプリサーバ４とを備える。この預託ｗｅｂサーバ２は、ネットワーク８を介して預託を行うユーザが利用するための顧客パソコン１２，１４，１６と接続される。
【０１１０】
この形態では、式場サーバはなく、代わりに移動サーバを備える。預託アプリサーバから葬祭用映像データを移動サ−バに保管して式場に持ち込み、葬祭用映像データ等を再生する。
【０１１１】
続いて、実施の形態１と異なるフローチャートについてのみ説明する。図１５は、本発明の第２実施形態に係る葬祭メディア提供システムにおけるメッセージ・写真・映像の預託依頼のフローチャートである。
【０１１２】
データ格納プログラム７４が、メッセージ・写真・映像データ９０に格納してデータが登録されると、映像ソフト生成プログラム８０が起動する。
【０１１３】
映像ソフト生成プログラム８０は、予め故人紹介動画について、フレームを作成しておき、そのフレームに、入力されたメッセージ・写真・映像データをそれぞれ挿入することで、故人紹介動画を生成する（Ｂ２６）。
【０１１４】
映像ソフト生成プログラム８０は、完成した故人紹介動画をアプリデータベース（ＤＢ）１０における映像ソフトデータ９２に格納する（Ｂ２８）。
【０１１５】
一方、生前本発明に係るシステムにメッセージ・写真・映像データを登録した場合であって、依頼者が逝去された場合について説明する。
【０１１６】
まず、依頼者である対象者が逝去される（Ｂ３０）。
【０１１７】
この場合、逝去された依頼者の親族であって、葬儀を主催する喪主は、メニュー画面１３０において、逝去のご連絡ボタン１３６を選択する。すると、顧客パソコン１２よりメニュー画面１３０要求の信号が送信される（Ｂ３２）。
【０１１８】
預託ｗｅｂサーバ２は、メニュー画面１３０要求の信号を受信すると、ｗｅｂデータ送信プログラム４４により逝去のご連絡画面１８０データが顧客パソコン１２宛てに送信される（Ｂ３４）。
【０１１９】
顧客パソコン１２は、逝去のご連絡画面１８０データを受信すると、逝去のご連絡画面１８０を表示し、逝去のご連絡画面１８０入力待ち状態となる。そこで、故人となられた方の宗教、宗派、式典会場、通夜の日程時間、葬儀に日程時間およびｗｅｂ発表の可否情報の入力が可能となる。
【０１２０】
宗教とは、故人並びに依頼者の方が葬儀を営む際に指定する宗教名であり、宗教名入力枠１８６に宗教名が入力される。勿論、無宗教で執り行うこと場合は、無宗教と記入される。
【０１２１】
宗派とは、宗教名のみでは葬儀方法等が確定しない場合に、教義・信仰対象などの違いや歴史的経緯により生じた分派であり、特に仏教において重要となり、故人の宗派名入力枠１８８に宗派名が入力される。宗派名も記入を希望しない場合は、宗派名は未記入とすることも可能である。
【０１２２】
式典会場とは、通夜または葬儀を開催する会場名であり、式典会場名入力枠１９０に式典会場名が入力される。
【０１２３】
通夜は、葬儀前夜に夜通しで行う儀式であり、その通夜の開始日時情報が必要であり、通夜年月日開始時刻入力枠１９２に通夜が開始される年月日と時刻が入力される。
【０１２４】
葬儀は、人の死を弔うために行われる祭儀、葬制の一部であり、その葬儀の開始日時情報が必要であり、葬儀年月日開始時刻入力枠１９４に葬儀が開始される年月日と時刻が入力される。
【０１２５】
ｗｅｂ発表とは、制作された映像ソフトをｗｅｂページから外部向けに発信することで発表するものである。このｗｅｂ発表の可否についてラジオボタンで選択される。以上を式典情報とする。
【０１２６】
以上の情報を式典情報に入力する。その後、式典情報は顧客パソコン１２から預託ｗｅｂサーバ２へ送信される（Ｂ３６）。
【０１２７】
預託ｗｅｂサーバ２は、式典情報を受信すると、データ転送プログラム４６により、預託アプリサーバ４へ転送される（Ｂ３８）。
【０１２８】
預託アプリサーバ４は、式典情報を受信すると、データ格納プログラム７４が起動し、式典情報を葬祭データ８８として、アプリデータベース（ＤＢ）１０に格納する（Ｂ４２）。
（第３の実施の形態）
以下、本発明の第３の実施の形態を図面に基づいて説明する。
【０１２９】
（本発明の構成）
（全体構成）
なお、第３の実施の形態では、第１の実施の形態と異なる点についてのみ図１８を用いて説明する。
【０１３０】
第一の実施の形態と異なるものとして、ネットワーク８に接続されて訃報やお悔み広告を掲載するお悔みｗｅｂサーバ２００と、ネットワーク８に接続されるてお悔みｗｅｂサーバ２００を制御するお悔みアプリサーバ２０２と、お悔みｗｅｂサーバ２００に接続されてお悔みｗｅｂサーバ２００のデータを格納するお悔みｗｅｂデータベース２０４と、お悔みアプリサーバ２０２に接続されてお悔みアプリサーバ２０２のデータを格納するお悔みアプリデータベース２０６とが追加されている。
【０１３１】
お悔みｗｅｂサーバ２００は、図１９に示される通りであり、構成は図２に示されるとおり、ｗｅｂデータベース（ＤＢ）６の内容を開示するものであり、お悔みｗｅｂサーバ２００の構成と、預託ｗｅｂサーバ２との構成は同一である。詳細には、お悔みｗｅｂサーバ２００は、お悔みｗｅｂデータベース２０４と連結される。また、このお悔みｗｅｂサーバ２００は、通信ポート２１４を介してネットワーク８と連結され、さらに通信ポート２１４は、Ｉ／Ｏポート２１６に連結され、Ｉ／Ｏポート２１６が共通バスライン２１２に連結される。一方、この共通バスライン２１２を介してＣＰＵ２１８、ＲＯＭ２２０、ＲＡＭ２２２とメインの記憶手段であるハードディスク（ＨＤＤ）から構成されるプログラム格納部２１０と連結される。
【０１３２】
プログラム格納部２１０は、ｗｅｂデータ送信プログラム２２４とデータ転送プログラム２２６が格納される。
【０１３３】
ｗｅｂデータ送信プログラム２２４は、例えば顧客パソコンＡ１２からｗｅｂページアドレスとしてお悔みｗｅｂサーバ２００のアドレスを指定して要求した場合に、後述のお悔みアプリサーバ２０２のデータ転送プログラム２５６に画面生成要求を行い、画面データをデータ転送プログラム２５６から受領したらそのデータを顧客パソコンＡ１２へ送信して、顧客パソコンＡ１２上のブラウザで表示できるようにする。
【０１３４】
データ転送プログラム２２６は、顧客パソコンＡ１２からの入力されたデータをお悔みアプリサーバ２０２へ転送するプログラムである。
【０１３５】
一方、お悔みｗｅｂデータベース２０４は、インデックスページのデータであるメインメニュー画面データ２２８と、葬祭情報データを登録するためのページのデータである登録画面データ２３０と、メインメニュー画面データ２２８に続いて表示される県別訃報画面データ２３２と、預託ｗｅｂサーバ２のアドレスデータが格納されるリンクデータ２３３とから構成される。
【０１３６】
メインメニュー画面データ２２８は、図２２に示される。４７都道府県の付されたボタンデータが配置される（２７６）。一頁で表示できない場合は、「次へ」ボタン２７４も表示される。
【０１３７】
４７都道府県の付されたボタンデータが選択されると、都道府県毎の県別訃報画面データ２３２へ遷移する。「次へ」ボタン２７４が選択された場合は、画面２７８へ遷移する（図２３）。
【０１３８】
４７都道府県の付されたボタンデータが選択されると、お悔みアプリサーバ２０２によって生成される全国版お悔み葬儀情報２８４が開示される（図１４）。例えば、北海道を選択した場合は、北海道の訃報情報が図１４の通り、市区町村毎に２９２に示すように表示される。また、リンクが可能とされた案件については、メッセージ、写真、映像などへリンクされる（図２４）。このリンク情報はリンクデータ２３３に格納される。
【０１３９】
お悔みアプリデータベース２０６は、略構成が、預託アプリサーバ４に類似している。プログラム格納部２４０に格納されるプログラムとして、データ格納プログラム２５４と、データ転送プログラム２５６と、リンク判定プログラム２５８が格納される。
【０１４０】
データ転送プログラム２５６は、登録画面データ２３０を用いて入力される葬祭データをお悔みアプリデータベース２０６に格納するプログラムである。また、お悔みｗｅｂサーバ２００のｗｅｂデータ送信プログラム２２４の要求に応じて葬祭データ２６８とリンクデータ２７０からｗｅｂページデータを生成して、お悔みｗｅｂサーバ２００に転送する機能を備える。
【０１４１】
データ転送プログラム２５６は、必要に応じて、式場サーバ１８に転送する映像ソフトや、登録された故人の遺影や在りし日々の写真データ１７０、音源メッセージ・書面メッセージを式場サーバに接続されるモニタやプロジェクタで投影させて再生する映像ソフト再生プログラム１２０が格納される。
【０１４２】
リンク判定プログラム２５８は、登録画面データ２３０において、リンク可否ラジオボタン３６２で「可」が選択された場合に、登録番号を預託ｗｅｂサーバ２へリンク請求信号を送信して、預託ｗｅｂサーバ２からリンクアドレスデータを受信する機能を備える。
【０１４３】
お悔みアプリデータベース２０６は、その内部にユーザ登録データ２６４と、ＩＤ、パスワード２６６と、葬祭データ２６８と、リンクデータ２７０を格納する。
【０１４４】
ユーザ登録データ２６４は、喪主氏名２９８、喪主氏名ふりがな３００、メールアドレス３０４、住所都道府県３０８、住所市町村３１０、住所番地３１２、住所建物３１４、逝去者氏名３１６、逝去者ふりがな３１８、逝去者肩書３２０、喪主の故人との関係情報３２２、カード会社名３２４、カード番号３２６、カード有効期限３２８が格納されるデータベースである。
【０１４５】
ＩＤ、パスワードデータ２６６は、登録用パスワード３０２、メールアドレス３０４が格納されるデータベースである。
【０１４６】
葬祭データ２６８は、登録番号３３４、宗教３３６、宗派３３８、逝去年月日３４０、逝去時刻３４２、式典会場名３４４、式典会場住所３４６、通夜年月日時刻３４８、告別式年月日時刻３５０、葬儀委員長名３５２、葬儀委員長肩書名３５４、葬儀社名３５６、葬儀社連絡先３５８、寺院名３６０、リンク可否情報３６２、ｗｅｂ発表可否データ３６４が格納されるデータベースである。
【０１４７】
リンクデータ２７０は、預託ｗｅｂサーバ２に格納されるユーザの預託したデータのアドレス情報が格納される。
（動作）
以上の構成において、図２１〜２５を用いて、本発明に係るお悔み葬儀情報掲示板への登録について説明する。
【０１４８】
顧客ＰＣ１２を用いて登録する場合について説明する（図２１）。
【０１４９】
予め本システムの実施例１または２によって登録されている対象者の方が逝去される（Ｄ２）。
【０１５０】
この場合、逝去された依頼者の親族であって、葬儀を主催する喪主は、全国版お悔み葬儀情報２７８において、逝去のごお悔み葬儀情報登録ボタン２８３を選択する。すると、顧客パソコン１２より掲示板ユーザ登録画面２９６要求の信号が送信される（Ｄ４）。
【０１５１】
お悔みｗｅｂサーバ２００は、掲示板ユーザ登録画面２９６要求の信号を受信すると、ｗｅｂデータ送信プログラム２２４により掲示板ユーザ登録画面２９６データが顧客パソコン１２宛てに送信される（Ｄ６）。
【０１５２】
顧客パソコン１２は、掲示板ユーザ登録画面２９６データを受信すると、掲示板ユーザ登録画面２９６を表示し、図２５のように掲示板ユーザ登録画面２９６入力待ち状態となる。そこで、故人となられた方のユーザ登録データ２６４は、喪主氏名２９８、喪主氏名ふりがな３００、メールアドレス３０４、住所都道府県３０８、住所市町村３１０、住所番地３１２、住所建物３１４、逝去者氏名３１６、逝去者ふりがな３１８、逝去者肩書３２０、喪主の故人との関係情報３２２、カード会社名３２４、カード番号３２６、カード有効期限３２８の入力が可能となる。
【０１５３】
入力終了したら、次へボタン３３０を選択する。次へボタン３３０を選択すると、入力されたデータは一時保存される。
【０１５４】
また、掲示板ユーザ登録２表示請求信号がお悔みｗｅｂサーバ２００へ送信される。お悔みｗｅｂサーバ２００は、掲示板ユーザ登録２画面表示請求信号を受けて、顧客パソコン１２へ掲示板ユーザ登録２画面データを送信し、顧客パソコン１２に表示させる。
【０１５５】
掲示板ユーザ登録２画面には、葬祭データ２６８は、登録番号３３４、宗教３３６、宗派３３８、逝去年月日３４０、逝去時刻３４２、式典会場名３４４、式典会場住所３４６、通夜年月日時刻３４８、告別式年月日時刻３５０、葬儀委員長名３５２、葬儀委員長肩書名３５４、葬儀社名３５６、葬儀社連絡先３５８、寺院名３６０、リンク可否情報３６２、ｗｅｂ発表可否データ３６４が記載可能である。
【０１５６】
リンク可否情報３６２は、葬儀情報と実施の形態１，２で登録された個人のメッセージ、写真、映像データを葬儀情報にリンクするか否かを選択するものである。
【０１５７】
以上の情報を入力し、登録ボタン３６８を選択すると、式典情報は顧客パソコン１２からお悔みｗｅｂサーバ２００へ送信される（Ｄ８）。
【０１５８】
お悔みｗｅｂサーバ２００は、式典情報を受信すると、データ転送プログラム２２６により、お悔みアプリサーバ２０２へ転送される（Ｄ８）。
【０１５９】
お悔みアプリサーバ２０２は、式典情報を受信すると、データ格納プログラム２５４が起動し、式典情報を葬祭データ２６８として、アプリデータベース（ＤＢ）２０６に格納する（Ｄ１２）。
【０１６０】
さらに、データ転送プログラム２５６が起動し、リンク可否情報３６２がリンク可であれば、リンクデータ要求信号を預託アプリサーバ４へ請求信号を送信する（Ｄ１６）。
【０１６１】
預託アプリサーバ４は、ユーザ登録データ８４からリンクアドレスを生成してお悔みアプリサーバ２０２へ送信する（Ｄ１８）。
【０１６２】
お悔みアプリサーバ２０２は、受信したリンクアドレスと、葬祭データ２６８からお悔み葬儀情報を葬祭データ２６８に格納する。
【０１６３】
その後、お悔みｗｅｂサーバ２００からお悔み葬儀情報の要求信号があるたびに、リンクアドレスを伴ったお悔み葬儀情報の掲載されたｗｅｂページデータを生成する（Ｄ２０）。
（第４の実施の形態）
以下、本発明の第４の実施の形態を図面に基づいて説明する。
【０１６４】
（本発明の構成）
（全体構成）
なお、第４の実施の形態では、第３の実施の形態と異なる点についてのみ図２７を用いて説明する。
【０１６５】
営まれる場合
実施の形態の構成との違いは、式場パソコン３７０がネットワーク８に接続されている点が異なる。
（動作）
本発明に係る第４の実施の形態における動作について図２８を用いて説明する。式場で葬儀が営まれる場合に、葬儀情報が発生することから、式場の職員が葬儀社での葬儀情報を逝去者の遺族の承諾を得た上で、式場パソコン３７０よりお悔みサーバ２００に対してお悔み葬儀登録要求を行う（Ｅ４）。以後、リンク情報掲載工程（Ｅ２０）まで、第３の実施の形態と同一である。
【０１６６】
本実施の形態では、リンク情報掲載工程（Ｅ２０）の後に特定の対象者のみが閲覧できる、または、非リンクアドレスにより遺族確認用のダミー葬儀情報ページの掲載を行う（Ｅ２２）。
【０１６７】
その後、電子メール等により遺族の利用する顧客パソコン１２宛てにダミー葬儀情報ページの確認要求信号又はメールを送信する（Ｅ２４）。
【０１６８】
その後、顧客パソコン１２より許諾信号又は許諾メールが送信される（Ｅ２６）。
【０１６９】
お悔みサーバ２００は、顧客パソコン１２より許諾信号又は許諾メールを受信すると正規の葬儀情報を掲載する（Ｅ２８）。
【０１７０】
このように構成することで、葬儀社が葬儀情報をホームページに掲載し、そのホームページにメッセージや画像、動画情報をリンクすることもできる。
【０１７１】
なお、本実施例では葬儀社が葬儀情報を掲載しているが、マスメディアが代理することもできる。
【０１７２】
尚、葬儀情報については、葬儀への列席の可否、供花受領の可否、弔文・弔電受領の可否、についての情報を同時に掲載する。
【０１７３】
その際に、供花の受領、弔電の受領が可である場合は、提携花屋の受注ｗｅｂページ、提携弔文・弔電の作成会社の受注ｗｅｂページとリンクする。全国お悔み情報を閲覧した葬儀の実施地ではない地域にいる利用者は、該当故人のお悔やみ情報のボタンよりリンク先に入り、供花を発注したり、弔文や、弔電を発注して葬儀会場等に届けることが可能となる。
【符号の説明】
【０１７４】
２  預託ｗｅｂサーバ
４  預託アプリサーバ
６  ｗｅｂデータベース（ＤＢ）
８  ネットワーク
１０  アプリデータベース（ＤＢ）
１２，１４，１６  顧客パソコン
１８  式場サーバ
２０  式場データベース（ＤＢ）
３０  プログラム格納部
３２  共通バスライン
３４  通信ポート
３６  Ｉ／Ｏポート
３８  ＣＰＵ
４０  ＲＯＭ
４２  ＲＡＭ
４４  ｗｅｂデータ送信プログラム
４６  データ転送プログラム
４８  メインメニュー画面データ
５０  登録画面データ
５２  預託依頼画面データ
６０  プログラム格納部
６２  共通バスライン
６４  通信ポート
６６  Ｉ／Ｏポート
６８  ＣＰＵ
７０  ＲＯＭ
７２  ＲＡＭ
７４  データ格納プログラム
７６  ＩＤ番号決定プログラム
７８  ＩＤ番号判定プログラム
８０  映像ソフト生成プログラム
８２  データ転送プログラム
８４  ユーザ登録データ
８６  ＩＤ、パスワードデータ
８８  葬祭データ
９０  メッセージ・写真・映像データ
９２  映像ソフトデータ
１００  プログラム格納部
１０２  共通バスライン
１０４  通信ポート
１０８  Ｉ／Ｏポート
１１０  ＣＰＵ
１１２  ＲＯＭ
１１４  ＲＡＭ
１１６  データ格納プログラム
１１８  遺影表示プログラム
１２０  映像ソフト再生プログラム
１２２  ユーザ登録データ
１２４  遺影データ
１２６  映像ソフトデータ
１２８  葬祭データ
１３０  メニュー画面
１３２  メッセージ・写真・映像の預託依頼ボタン
１３４  ユーザ登録ボタン
１３６  逝去のご連絡ボタン
１３８  メッセージ・写真・映像の打込委託ボタン
１４２  氏名
１４４  登録用パスワード
１４６  メールアドレス
１５０  住所
１５２  クレジットカードの会社名
１５４  クレジットカード番号
１５６  クレジットカードの有効期限
１５７  登録ボタン
１６６  文章メッセージデータ
１６８  画像データ
１７０  写真データ
１７２，１７４  動画データ
１７６  音楽データ
１７８  依頼者メッセージデータ
１８０  音声メッセージデータ
１７０  写真データ
１４２  氏名
１４４  登録用パスワード
１４６  メールアドレス
２００  お悔みｗｅｂサーバ
２０２  お悔みアプリサーバ
２０４  お悔みｗｅｂデータベース
２０６  お悔みアプリデータベース
２１０  プログラム格納部
２１２  共通バスライン
２１４  通信ポート
２１６  Ｉ／Ｏポート
２１８  ＣＰＵ
２２０  ＲＯＭ
２２２  ＲＡＭ
２２４  ｗｅｂデータ送信プログラム
２２６  データ転送プログラム
２２８  メインメニュー画面データ
２３０  登録画面データ
２３２  県別訃報画面データ
２３３  リンクデータ
２４０  プログラム格納部
２５４  データ格納プログラム
２５６  データ転送プログラム
２５８  リンク判定プログラム
２６４  ユーザ登録データ
２６６  ＩＤ、パスワード
２６８  葬祭データ
２７０  リンクデータ
２７４  「次へ」ボタン
２７６  ４７都道府県の付されたボタンデータ
２７８  画面
２９２  市区町村毎に
２９８  喪主氏名
３００  喪主氏名ふりがな
３０２  登録用パスワード
３０４  メールアドレス
３０８  住所都道府県
３１０  住所市町村
３１２  住所番地
３１４  住所建物
３１６  逝去者氏名
３１８  逝去者ふりがな
３２０  逝去者肩書
３２２  喪主の故人との関係情報
３２４  カード会社名
３２６  カード番号
３２８  カード有効期限
３３４  登録番号
３３６  宗教
３３８  宗派
３４０  逝去年月日
３４２  逝去時刻
３４４  式典会場名
３４６  式典会場住所
３４８  通夜年月日時刻
３５０  告別式年月日時刻
３５２  葬儀委員長名
３５４  葬儀委員長肩書名
３５６  葬儀社名
３５８  葬儀社連絡先
３６０  寺院名
３６２  リンク可否情報
３６４  ｗｅｂ発表可否データ
【図１】
0006046339.tif 000002
【図２】
0006046339.tif 000003
【図３】
0006046339.tif 000004
【図４】
0006046339.tif 000005
【図５】
0006046339.tif 000006
【図６】
0006046339.tif 000007
【図７】
0006046339.tif 000008
【図８】
0006046339.tif 000009
【図９】
0006046339.tif 000010
【図１０】
0006046339.tif 000011
【図１１】
0006046339.tif 000012
【図１２】
0006046339.tif 000013
【図１３】
0006046339.tif 000014
【図１４】
0006046339.tif 000015
【図１５】
0006046339.tif 000016
【図１６】
0006046339.tif 000017
【図１７】
0006046339.tif 000018
【図１８】
0006046339.tif 000019
【図１９】
0006046339.tif 000020
【図２０】
0006046339.tif 000021
【図２１】
0006046339.tif 000022
【図２２】
0006046339.tif 000023
【図２３】
0006046339.tif 000024
【図２４】
0006046339.tif 000025
【図２５】
0006046339.tif 000026
【図２６】
0006046339.tif 000027
【図２７】
0006046339.tif 000028
【図２８】
0006046339.tif 000029